(57)【要約】【課題】横引きパイプを挿通するための開口部を覆うことで開口部の外観意匠を良好に維持することができ、簡便に開口部への取り付け及び取り外しが可能な化粧カバーを提供すること。【解決手段】外壁に設けられた開口部１１a,１２aに挿通された横引きパイプ１３の端部と、竪樋１４に連結した排水ます１５の側方から突出する枝管１６とが接続する接続部において、前記開口部１１a,１２aを外側から覆う化粧カバー１であって、前記開口部１１a,１２aを被覆可能なベース材２と、このベース材２から突出する枝管保持筒３を備え、ベース材２は、枝管保持筒３とともに二分割され、分割面２aの一端が互いに開閉部材４で連結されているとともに、分割面２aの他端は開閉自在に開放されて枝管保持筒３の内部への枝管１６の導入が可能とされ、枝管保持筒３には、ベース材２の分割面２aを閉状態で固定可能な開閉固定部５が設けられ、この開閉固定部５によって、枝管保持筒３の内部に保持した枝管１６への圧着固定が可能とされている。【選択図】図１
2011246954.tif 000002
【特許請求の範囲】
【請求項１】
外壁に設けられた開口部に挿通された横引きパイプの端部と、竪樋に連結した排水ますの側方から突出する枝管とが接続する接続部において、前記開口部を外側から覆う化粧カバーであって、
前記開口部を被覆可能なベース材と、このベース材から突出する枝管保持筒を備え、ベース材は、枝管保持筒とともに二分割され、分割面の一端が互いに開閉部材で連結されているとともに、分割面の他端は開閉自在に開放されて枝管保持筒の内部への枝管の導入が可能とされ、
枝管保持筒には、ベース材の分割面を閉状態で固定可能な開閉固定部が設けられ、この開閉固定部によって、枝管保持筒の内部に保持した枝管への圧着固定が可能とされていることを特徴とする化粧カバー。
【請求項２】
開閉固定部は、開放されているベース材端部側の枝管保持筒の両分割端部から外方に突設された固定片であることを特徴とする請求項１に記載の化粧カバー。
【発明の詳細な説明】
【技術分野】
【０００１】
本発明は、化粧カバーに関する。詳しくは、横引きパイプを挿通する開口部の化粧カバーに関する。
【背景技術】
【０００２】
従来、住宅のベランダ等からの雨水を竪樋に送るための構造として、図６に例示するような構造が知られている。この構造では、建物外壁の下地材１１に開口部１１a（下地材開口部）が設けられ、外装材１２に開口部１２a（外装材開口部）が設けられ、この開口部１１a,１２aには横引きパイプ１３が挿通している。そして、この横引きパイプ１３の端部と、竪樋１４に連結した排水ます１５の側方から突出する枝管１６とが接続されている。そして、この開口部１１a,１２aには、横引きパイプ１３および枝管１６との隙間にシーリング材１７が充填されて、雨水の浸入等が抑制されている。
【０００３】
また、特許文献１では、排水ますに伸縮自在なカバー体を配設することで、横引きパイプが外部に露出しないように設計されている。
【先行技術文献】
【特許文献】
【０００４】
【特許文献１】特開平2004-11185号公報
【発明の概要】
【発明が解決しようとする課題】
【０００５】
しかしながら、図６に例示した構造では、下地材１１および外装材１２に設けられた開口部１１a,１２aが外部に露出する。このため、外観意匠を良好とするためには開口部１１a,１２aの施工作業を丁寧に行う必要があり、作業に相当の手間と時間を要する。特に丸形状の横引きパイプ１３を使用する場合には、開口部１１a,１２aを円形に整える必要があるため、開口部１１a,１２aの施工作業は一層困難になる。さらに、図６に例示した構造では、開口部１１a,１２aに充填されたシーリング材１７も外部に露出するため、シーリング材１７として好ましい色や材料を選択した場合にも外観意匠への悪影響は避けられない。
【０００６】
そこで、本発明者らは、横引きパイプ１３を挿通する開口部１１a,１２aの外観意匠を良好にするために、例えば、開口部１１a,１２aを外側から覆うカバー材（図示していない）等を外装材１２に取り付けることを検討してきた。
【０００７】
そして、このようなカバー材を外装材に取り付ける場合には、
１）開口部１１a,１２aに充填されたシーリング材１７は、施工後に定期的に点検することが好ましいため、カバー材は簡便に取り外し可能であることが望まれ、カバー材を外装材に接着固定することは好ましくないこと、
２）外装材１２の材質によっては、ネジや釘等の固定部材が使用できない場合があること、
３）外装材に対してネジや釘等の固定部材が使用可能な場合にも、外装材１２には固定部材による穴が開くため、外装材１２の劣化、水漏れなどが誘発されること、
が改善すべき問題点として考えられた。
【０００８】
一方、上記特許文献１では、横引きパイプを覆うためのカバー体を設けているが、開口部およびシーリング材の外観意匠に関する検討はなされていない。また、カバー体は、端部に接着剤を塗布して建物外壁と接着される構造であるため、カバー体を取り外すことはできず、シーリング材のメンテナンスを行うことも難しい。
【０００９】
本発明は、以上のような事情に鑑みてなされたものであり、横引きパイプを挿通するための開口部を覆うことで開口部の外観意匠を良好に維持することができ、簡便に開口部への取り付け及び取り外しが可能な化粧カバーを提供することを課題としている。
【課題を解決するための手段】
【００１０】
上記の課題を解決するために、本発明の化粧カバーは、外壁に設けられた開口部に挿通された横引きパイプの端部と、竪樋に連結した排水ますの側方から突出する枝管とが接続する接続部において、前記開口部を外側から覆う化粧カバーであって、前記開口部を被覆可能なベース材と、このベース材から突出する枝管保持筒を備え、ベース材は、枝管保持筒とともに二分割され、分割面の一端が互いに開閉部材で連結されているとともに、分割面の他端は開閉自在に開放されて枝管保持筒の内部への枝管の導入が可能とされ、枝管保持筒には、ベース材の分割面を閉状態で固定可能な開閉固定部が設けられ、この開閉固定部によって、枝管保持筒の内部に保持した枝管への圧着固定が可能とされていることを特徴とする。
【００１１】
本発明においては、開閉固定部は、開放されているベース材端部側の枝管保持筒の両分割端部から外方に突設された固定片であることが好ましい。
【発明の効果】
【００１２】
本発明の化粧カバーによれば、横引きパイプを挿通するための開口部を覆うことができるため、開口部の外観意匠を良好に維持することができ、また、開口部への取り付け及び取り外しを容易に行うことができる。
【図面の簡単な説明】
【００１３】
【図１】本発明の化粧カバーの取り付け状態を例示した概要部分断面図である。
【図２】本発明の化粧カバーの一実施形態を例示した斜視図である。
【図３】図２に例示した化粧カバーの分割面の開状態を例示した斜視図である。
【図４】開閉固定部の別の実施形態を例示した要部拡大斜視図である。
【図５】開閉固定部の別の実施形態を例示した要部拡大斜視図である。
【図６】従来の横引きパイプを挿通する開口部の状態を例示した概要部分断面図である。
【発明を実施するための形態】
【００１４】
図１は、本発明の化粧カバーの取り付け状態を例示した概要部分断面図である。
【００１５】
外壁は、下地材１１および外装材１２によって構成されている。下地材１１には、開口部１１a（下地材開口部）が設けられ、外装材１２にも、開口部１２a（外装材開口部）が設けられている。そして、この開口部１１a,１２aに横引きパイプ１３が挿通され、この横引きパイプ１３の端部は、竪樋１４に連結した排水ます１５の側方から突出する枝管１６と接続されている。
【００１６】
また、下地材の開口部１１aには、シーリング材１７が充填されて、雨水の浸入等が抑制されている。下地材１１の開口部１１aは、横引きパイプ１３を挿通可能な形状、大きさであればよく、横引きパイプ１３の断面形状を考慮して適宜設計することができる。雨水の浸入等を抑制し、シーリング材１７の充填量を少量とするためには、下地材１１の開口部１１aは、横引きパイプ１３の外径より一回り大きい程度に設計することが好ましい。
【００１７】
そして、化粧カバー１は、ベース材２と枝管保持筒３とを備え、枝管１６に取り付けられている。下地材１１の開口部１１aおよび外装材１２の開口部１２aは、化粧カバー１によって外側から覆われている。
【００１８】
ベース材２は、下地材１１の開口部１１aおよび外装材１２の開口部１２aを外側から被覆可能な大きさ、形状に設計することができる。通常、下地材１１の開口部１１aよりも外装材１２の開口部１２aの方が大きいため、特に外装材１２の開口部１２aの形状、大きさが考慮される。そして、化粧カバー１を外装材１２の開口部１２aの外側に取り付けると、下地材１１の開口部１１aおよび外装材１２の開口部１２aはベース材２によって覆われる。このため、下地材１１の開口部１１a、外装材１２の開口部１２aおよびシーリング材１７が外部に露出することがなく、施工後の外観意匠が良好となる。なお、ベース材２の厚さも適宜設計することができる。
【００１９】
したがって、外装材１２の開口部１２aは、必ずしも横引きパイプ１３の形状、大きさに対応させる必要はなく、また、外観を考慮して丁寧に施工する必要もない。したがって、外装材１２の開口部１２aの施工作業が容易であり、作業負担が軽減される。具体的には、例えば、断面丸形状の横引きパイプ１３であっても、外装材１２の開口部１２aは正方形等の形状に施工することができるため、円形の開口部１２aを設ける場合に比べ、施工作業にかかる手間が軽減され、作業時間も短縮することができる。
【００２０】
本発明の化粧カバーについて、図１、図２および図３を用いてさらに詳しく説明する。
【００２１】
図２は、本発明の化粧カバーの一実施形態を例示した斜視図である。図３は、図２に例示した化粧カバーの分割面の開状態を例示した斜視図である。
【００２２】
化粧カバー１の枝管保持筒３は、ベース材２の中央から突出し、断面形状が枝管１６の外形と略同形の筒状に設計されている。枝管保持筒３の形状は、例えば、枝管１６が断面丸形状の場合には円筒状に設計することができ、枝管１６が断面矩形状である場合には、矩形状に設計することができる。また、突出する筒の長さは、化粧カバー１を枝管１６に安定に取り付けることができる長さに適宜設計することができる。
【００２３】
さらに、ベース材２は、枝管保持筒３とともに二分割されている。枝管保持筒３は、略中央で二分割されている。そして、二分割されたベース材２の分割面２aの一端は、互いに開閉部材４で連結されている。開閉部材４としては、例えば、ヒンジや板バネなどを適宜使用することができる。
【００２４】
一方、ベース材２の分割面２aの他端は、分割面２aが開閉自在に開放されている。このため、開状態とされた分割面２a（図３）からは、枝管保持筒３内部へ枝管１６が導入可能とされ、導入された枝管１６は、分割面２aが閉状態とされることで（図２）、枝管保持筒３の内部に保持される。
【００２５】
上記のとおり、枝管保持筒３は、枝管１６の外形と略同形の筒状に設計されているため、枝管１６の外周面を全周に亘って安定に保持することができる。また、枝管保持筒３の内周面と枝管１６の間には、適宜パッキン等を介在させることもできる。
【００２６】
そして、開放されているベース材端部２b側の枝管保持筒３の両分割端部３aには、各々、ベース材２の分割面２aを閉状態で固定可能な開閉固定部５を備えている。開閉固定部５は、枝管保持筒３の外縁から突設され、ベース材２の分割面２aが閉状態において当接対峙する一対の固定片５aとすることができる。この場合、一対の固定片５aには、ボルトやナット等の締結部材によって互いの固定片５aを締結するための貫通孔６を設けることができる。貫通孔６にボルトやナット等の締結部材を螺入して開閉固定部５としての固定片５aを締め付けることによって、枝管保持筒３は枝管１６に圧着固定される。したがって、外装材１２を損傷することなく化粧カバー１を下地材開口部１１aおよび外装材開口部１２aの外側に簡便かつ安定に取り付けることができ、外装材１２の劣化や水漏れを抑制することができる。
【００２７】
また、枝管保持筒３による枝管１６の圧着固定によって化粧カバー１が取り付けられているため、開閉固定部５としての固定片５aの締結部材を外すことで、枝管保持筒３による枝管１６の圧着固定は開放される。このため、化粧カバー１取り付け後に、シーリング材１７の劣化の確認等が必要な場合にも、ベース材２の分割面２aを開状態として化粧カバー１を取り外すことができ、施工後のメンテナンスを容易に行うことができる。
【００２８】
図４、図５は、開閉固定部の別の実施形態を例示した要部拡大斜視図である。図４、図５において、前記実施形態と共通する部分には同一の符号を付し、以下では説明を一部省略する。
【００２９】
図４に例示した実施形態では、枝管保持筒３の外縁から突出する一対の固定片５aが、ベース材２の分割面２aを閉状態において当接対峙する。固定片５aの一方には、当接対峙する内側面に爪部７が設けられ、他方の固定片５aには爪部７の挿入孔８が設けられている。爪部７および挿入孔８の配設位置は、ベース材２の分割面２aを閉状態において爪部７と挿入孔８が対応する位置に設計されている。
【００３０】
爪部７は、内側面から起立する基部７aと、この基部７aから内側面と平行方向に突出する係止部７bを有している。挿入孔８の形状および大きさは、爪部７の形状および大きさと対応させることができる。
【００３１】
具体的には、爪部７の全体大きさを挿入孔８の大きさと略同等とし、ベース材２の分割面２aを閉鎖することで、爪部７が挿入孔８に挿入されて係止部７bが挿入孔８の外側８aに係止される。したがって、ネジやボルト等の締結部材を使用することなく、爪部７によって固定片５a同士を連結することができる。このため、枝管１６に枝管保持筒３を圧着固定することができ、化粧カバー１を下地材開口部１１aおよび外装材開口部１２aに取り付けることができる。
【００３２】
また、施工後は、係止部７bによる固定片５aの外側８aへの係止を解除することで一対の固定片５aを解離させ、べース材２の分割面２aを開状態とすることができる。したがって、施工後においても容易に化粧カバー１を取り外すことができ、シーリング材１７等のメンテナンスを容易に行うことができる。
【００３３】
図５に例示した実施形態では、枝管保持筒３の外縁から突出する一対の固定片５aには、互いに当接状態で貫通する貫通孔９が設けられている。
【００３４】
そして、化粧カバー１を枝管１６に取り付ける際に、この固定片５aに連結部材１０を装着する。連結部材１０は、所定間隔で対向する一対の挟持板１０aと、この挟持板１０aの一端で挟持板１０a同士を連結する連結板１０bを有する断面略コ字状とされている。さらに、挟持板１０aの一方には、内側に突出する凸爪部１０ｃが設けられており、この凸爪部１０ｃの形状、大きさは、固定片５aの貫通孔９の形状、大きさと対応している。また、狭持板１０aの深さＤは、固定片５aの長さＬと同程度またはそれ以上に設計されている。さらに、狭持板１０a同士の間隔Ｂは、当接状態の固定片５aの幅Ｈと略同等に設計することができる。
【００３５】
そして、例えば、挟持板１０aを外側にやや拡開させて間隔Ｂを拡げ、挟持板１０aの間に当接状態の固定片５aを挟み込むように連結部材１０を固定片５aに装着する。このとき、挟持板１０aの間隔Ｂは元の状態に復帰し、挟持板１０aに設けられた凸爪部１０cを固定片５aの貫通孔９に嵌め込むことができる。これによって一対の固定片５aが互いに連結され、枝管１６に枝管保持筒３が圧着固定され、化粧カバー１が下地材開口部１１aおよび外装材開口部１２aに取り付けられる。
【００３６】
また、施工後は、挟持板１０aを外側に拡開させることで、挟持板１０aの凸爪部１０cを固定片５aの貫通孔９から脱離させ、固定片５aから連結部材１０を取り外すことができる。これによって、べース材２の分割面２aを開状態とすることができるため、施工後においても容易に化粧カバー１を取り外すことができ、シーリング材１７等のメンテナンスを容易に行うことができる。
【００３７】
なお、本発明の化粧カバーは、以上の実施形態に限定されるものではなく、例えば、各部材の材料は、防水性、耐久性等を考慮して、樹脂、金属等から適宜選択することができる。また、本発明の化粧カバーは、外装材が配設されない場合にもおいても取り付けることができ、この場合には、外壁としての下地材の開口部およびシーリング材を覆うことができる。
【符号の説明】
【００３８】
１  化粧カバー
２  ベース材
２a  分割面
２b  開放されているベース材端部
３  枝管保持筒
３a  分割端部
４  開閉部材
５  開閉固定部
１１  下地材
１１a  開口部
１２  外装材
１２a  開口部
１３  横引きパイプ
１４  竪樋
１５  排水ます
１６  枝管
【図１】
2011246954.tif 000003
【図２】
2011246954.tif 000004
【図３】
2011246954.tif 000005
【図４】
2011246954.tif 000006
【図５】
2011246954.tif 000007
【図６】
2011246954.tif 000008
【手続補正書】
【提出日】平成22年5月28日(2010.5.28)
【手続補正１】
【補正対象書類名】明細書
【補正対象項目名】０００４
【補正方法】変更
【補正の内容】
【０００４】
【特許文献１】特開2004-11185号公報